(57)【要約】【課題】緊急警報の見逃しを防止しかつ不正に緊急放送コードを送信する放送局の選局を軽減することができる放送受信機を提供する。【解決手段】選局部８０は、チューナ部３ａ，３ｂが選局する放送局を設定する。検知部８１は、チューナ部３ｂによって受信された緊急放送コードを検知する。制御部８２は、選局部８０を制御して、チューナ部３ｂに検知対象の放送局を順に選局するスキャン動作を繰り返し行う。このとき、制御部８２は、検知部８１による緊急放送コードの検知が初回である放送局の放送内容をスピーカ７および表示部９に出力させ、従前に緊急放送コードが検知された放送局については、放送内容を出力せずに検知対象から除外する。【選択図】図１
2016219981.tif 000002
【特許請求の範囲】
【請求項１】
チューナ部が選局する放送局を設定する選局部と、
前記チューナ部によって受信された緊急放送コードを検知する検知部と、
前記選局部を制御して前記チューナ部に検知対象の放送局を順に選局するスキャン動作を繰り返し行い、前記検知部による緊急放送コードの検知が初回である放送局の放送内容を出力部に出力させ、従前に緊急放送コードが検知された放送局は、放送内容を出力せずに検知対象から除外する制御部と
を備えたことを特徴とする放送受信機。
【発明の詳細な説明】
【技術分野】
【０００１】
この発明は、例えば、ラジオデータシステム（以下、ＲＤＳと記載する）の放送を受信する放送受信機に関する。
【背景技術】
【０００２】
ＲＤＳでは、プログラムタイプコード（以下、ＰＴＹコードと記載する）を用いて番組内容を識別している。ＰＴＹコードは、番組の様々なジャンルを示す１〜３１までの識別番号であり、ラジオ番組の放送波とともに送信される。例えば、欧州においては、ＰＴＹ＝１はニュースを示しており、ＰＴＹ＝６がドラマを示しており、ＰＴＹ＝１１はロックミュージックを示している。
【０００３】
また、ＰＴＹ＝３１は、緊急放送コードとして定義されている。地震などの緊急事態が発生した場合、放送局は、緊急警報の放送波とともに３１番のＰＴＹコードを配信する。
ラジオ受信機は、ＲＤＳデータから３１番のＰＴＹコードを検知すると、このコードを送信した放送局を選局して緊急警報を受信する。
ラジオ受信機において、例えば、音楽ファイルの音声の出力中に緊急放送コードが検知されると、緊急警報を聞き逃さないようにその出力を中断して、緊急放送コードを送信した放送局の放送内容が出力される。
【０００４】
一方、ＰＴＹコードの設定には厳密な規制がなく、放送局側で番組内容に応じて自由に設定される。従って、放送内容が緊急警報ではないにも拘わらず、誤って３１番のＰＴＹコードが設定されて送信される場合がある。また、放送局の中には自局が選局されやすくするために、放送の間ずっとまたは放送中に周期的に緊急放送コードを送信して緊急警報を装う悪意の放送局も存在する。
従来のラジオ受信機は、このように緊急放送コードが周期的または継続的に送信された場合、他局の放送あるいはラジオ以外の音響ファイルの出力を頻繁に中断して、緊急放送コードを送信してきた放送局を選局する。
【０００５】
これに対して、例えば、特許文献１に記載される放送受信機では、受信可能な放送局のうち、１つの放送局から緊急放送コードを受信しても、これ以外の放送局からの緊急放送コードが受信されるまで、緊急放送コードを送信してきた放送局の選局を行わない。
このようにすることで、誤ってまたは悪意で緊急放送コードを送信する放送局の選局を回避することができる。
【先行技術文献】
【特許文献】
【０００６】
【特許文献１】特開２００９−８８９１０号公報
【発明の概要】
【発明が解決しようとする課題】
【０００７】
特許文献１に記載される放送受信機では、緊急放送コードが不正に送信されたものではない場合であっても他の放送局から送信された緊急放送コードが検知されるまで緊急警報の出力が行われない。すなわち、１つの放送局のみが緊急警報を送信している場合、この緊急警報を出力できないという課題があった。例えば、ある特定の地域で緊急事態が発生し、これ以外の地域ではその緊急事態が認識されていない場合、上記特定の地域における１つの放送局のみが緊急警報を送信しても、放送受信機側で出力されない。
また最初に緊急放送コードが検知されてから他の放送局の緊急放送コードが検知されるまでに時間が掛かった場合、緊急警報のリアルタイム性が失われる可能性もある。
【０００８】
この発明は、上記の課題を解決するもので、緊急警報の見逃しを防止しかつ不正に緊急放送コードを送信する放送局の選局を軽減することができる放送受信機を得ることを目的とする。
【課題を解決するための手段】
【０００９】
この発明に係る放送受信機は、選局部、検知部および制御部を備える。選局部は、チューナ部が選局する放送局を設定する。検知部は、チューナ部によって受信された緊急放送コードを検知する。制御部は、選局部を制御して、チューナ部に検知対象の放送局を順に選局するスキャン動作を繰り返し行う。このとき、制御部は、検知部による緊急放送コードの検知が初回である放送局の放送内容を出力部に出力させ、従前に緊急放送コードが検知された放送局は、放送内容を出力せずに検知対象から除外する。
【発明の効果】
【００１０】
この発明によれば、緊急放送コードの検知が初回である放送局の放送内容が出力されるので、緊急放送コードが検知された時点で直ちに緊急警報が出力され、緊急警報の見逃しが防止される。また、誤ってまたは悪意で頻繁に緊急放送コードを送信しても従前に緊急放送コードが検知された放送局は検知対象から除外されるので、不正に緊急放送コードを送信する放送局の選局を軽減することができる。
【図面の簡単な説明】
【００１１】
【図１】この発明の実施の形態１に係る放送受信機の構成を示すブロック図である。
【図２】実施の形態１におけるマイコンの構成を示すブロック図である。図２（ａ）はマイコンの機能ブロック図、図２（ｂ）はマイコンのハードウェアブロック図である。
【図３】実施の形態１に係る放送受信機の動作を示すフローチャートである。
【図４】実施の形態１における放送局の選局の概要を示す図である。
【発明を実施するための形態】
【００１２】
実施の形態１．
図１は、この発明の実施の形態１に係る放送受信機の構成を示すブロック図であって、この発明に係る放送受信機を具体化したラジオ受信機１を示している。また図２は、図１のマイコン８の構成を示すブロック図である。図２（ａ）はマイコン８の機能ブロック図、図２（ｂ）はマイコン８のハードウェアブロック図である。
ラジオ受信機１は、例えば、車両などの移動体に搭載され、ＲＤＳ方式のラジオ放送を受信する。その構成として、図１に示すように、アンテナ２ａ，２ｂ、チューナ部３ａ，３ｂ、ディスク再生部４、セレクタスイッチ５、アンプ部６、スピーカ７、マイコン（マイクロコンピュータ）８および表示部９を備える。
【００１３】
チューナ部３ａは、アンテナ２ａによって受信された放送波のうち、マイコン８に選局設定された放送局の周波数のオーディオ信号を得る。
例えば、チューナ部３ａは、アンテナ２ａで受信された放送波から、マイコン８に選局設定された放送局の周波数のＲＦ（Ｒａｄｉｏ  Ｆｒｅｑｕｅｎｃｙ）信号を抽出して、これをＩＦ（Ｉｎｔｅｒｍｅｄｉａｔｅ  Ｆｒｅｑｕｅｎｃｙ）信号に周波数変換する。
そして、ＩＦ信号をデジタル信号に変換した後に、ノイズを除去するフィルタリングを行ってから復調処理を実施してオーディオ信号を得る。このオーディオ信号は、アナログ信号に変換されてからセレクタスイッチ５に出力される。
【００１４】
チューナ部３ｂは、チューナ部３ａと同様にして、アンテナ２ｂにより受信された放送波のうち、マイコン８に選局設定された放送局の周波数のオーディオ信号とともに送られるＲＤＳ信号を得る。
例えば、チューナ部３ｂは、前述のようにＩＦ信号を復調処理した信号に対してさらにＲＤＳ復調処理を実施する。これにより、放送信号に含まれるＲＤＳ信号が抽出される。ＲＤＳ信号は、チューナ部３ｂからマイコン８に出力される。
【００１５】
ディスク再生部４は、ディスク媒体に記録されたデータを再生してセレクタスイッチ５に出力する。図１の例では、ＣＤ（Ｃｏｍｐａｃｔ  Ｄｉｓｃ）またはＤＶＤ（Ｄｉｇｉｔａｌ  Ｖｅｒｓａｔｉｌｅ  Ｄｉｓｃ）に記録された音楽ファイルなどを再生する。
ディスク再生部４には、例えば、ディスク媒体のディスクドライブとこれを動作させるソフトウェアが含まれる。
【００１６】
セレクタスイッチ５は、マイコン８の制御に従って、チューナ部３ａの出力とディスク再生部４の出力を切り替える。セレクタスイッチ５からの出力信号は、アンプ部６で増幅されてスピーカ７から音声出力される。
マイコン８は、ラジオ受信機１の構成を制御するマイクロコンピュータであって、機能構成として、図２（ａ）に示すように、選局部８０、検知部８１、制御部８２、フラグ記憶部８３および再生部８４を備える。
【００１７】
選局部８０は、制御部８２の制御に従って、チューナ部３ａ，３ｂが選局する放送局を設定する。例えば、選局部８０は、ユーザから受け付けたチャンネルの周波数をチューナ部３ａに設定する。これにより、チューナ部３ａは、ユーザから受け付けた放送局を選局して放送を受信する。また、選局部８０は、緊急放送コードを検知するスキャン動作において、チューナ部３ｂに対して検知対象の放送局を順に選局させる。
【００１８】
検知部８１は、チューナ部３ｂによって受信された緊急放送コードを検知する。
例えば、チューナ部３ｂで復調されたＲＤＳ信号を入力し、このＲＤＳ信号に含まれる各種コードのうち、ＰＴＹコードの識別番号を解析する。このとき、識別番号が“３１”であると、検知部８１は、緊急放送コードを検知したことを制御部８２に出力する。
【００１９】
制御部８２は、選局部８０を制御して、チューナ部３ｂに検知対象の放送局を順に選局するスキャン動作を繰り返し行う。
前述のスキャン動作において、制御部８２は、検知部８１による緊急放送コードの検知が初回である放送局の放送内容をスピーカ７および表示部９に出力させる。
また、従前に緊急放送コードが検知された放送局については、放送内容を出力せずに次回以降の検知対象から除外する。
【００２０】
フラグ記憶部８３は、従前に緊急放送コードが検知されたか否かを示すフラグ情報を、検知対象の放送局ごとに記憶する記憶部である。
再生部８４は、ＲＤＳ信号に含まれる表示データを再生して表示部９に表示させる構成要素である。表示データには、例えば、放送局名を示すＰＳ、放送局からオーディオ信号とともに送信される文字データであるＲＴデータなどがある。
なお、緊急警報には、音声の警報に加えて、警告内容を示す表示データも含まれる。
スピーカ７と表示部９は、この発明における出力部を具体化したものであり、前述したような音声の警報がスピーカ７から音声出力され、警告内容を示す表示データが表示部９に表示される。
【００２１】
ラジオ受信機１における選局部８０、検知部８１、制御部８２、再生部８４の各機能は、処理回路により実現される。すなわち、図３を用いて後述する一連の処理を行うための処理回路を備える。処理回路は、図１（ｂ）に示すメモリ１０１に記憶されるプログラムを実行するＣＰＵ（Ｃｅｎｔｒａｌ  Ｐｒｏｃｅｓｓｉｎｇ  Ｕｎｉｔ）１００である。
【００２２】
選局部８０、検知部８１、制御部８２、再生部８４の機能は、ソフトウェア、ファームウェア、またはソフトウェアとファームウェアとの組み合わせにより実現される。ソフトウェアおよびファームウェアはプログラムとして記述され、メモリ１０１に記憶される。
処理回路は、メモリ１０１に記憶されたプログラムを読み出して実行することにより、各部の機能を実現する。すなわち、ラジオ受信機１は、処理回路によって実行されるときに、図３を用いて後述する一連の処理が結果的に実行されるプログラムを記憶するためのメモリ１０１を備える。また、これらのプログラムは、選局部８０、検知部８１、制御部８２、再生部８４の手順または方法をコンピュータに実行させるものである。
【００２３】
ここで、メモリ１０１には、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの不揮発性または揮発性の半導体メモリ、あるいは、磁気ディスク、フレキシブルディスク、光ディスク、光磁気ディスク、ＣＤ、ミニディスク、ＤＶＤなどが該当する。
【００２４】
次に動作について説明する。
図３は、実施の形態１に係る放送受信機の動作を示すフローチャートであって、ラジオ受信機１による緊急放送コードのスキャン動作における一連の処理を示している。
制御部８２は、選局部８０を制御して、チューナ部３ｂに検知対象の放送局を順に選局させて放送を受信するスキャン動作を開始する。検知対象の放送局は、ラジオ受信機１の現在地点において放送を受信可能な放送局であり、例えば、チューナ部３ｂを用いて更新されたステーションリストの放送局である。
検知部８１は、チューナ部３ｂによって受信されたＲＤＳ信号からＰＴＹコードを取得する（ステップＳＴ１）。
【００２５】
次に、検知部８１は、ＰＴＹコードが緊急放送コードを示す３１番であるか否かを確認する（ステップＳＴ２）。ここで、ＰＴＹコードが３１番でなければ（ステップＳＴ２；ＮＯ）、ステップＳＴ１に戻り、前述した処理を繰り返す。
一方、ＰＴＹコードが３１番である場合（ステップＳＴ２；ＹＥＳ）、検知部８１は、現在選局している放送局で緊急放送コードを検知したことを制御部８２に通知する。
制御部８２は、フラグ記憶部８３に記憶されているフラグ情報のうち、緊急放送コードが検知された放送局に対応するフラグ情報を参照して、既に緊急放送コードが検知されているかどうかを確認する（ステップＳＴ３）。
【００２６】
フラグに“ＰＴＹ＝３１あり”を示す値が設定されておらず、緊急放送コードの検知が初回である場合（ステップＳＴ３；ＮＯ）、制御部８２は、今回、緊急放送コードが検知された放送局のフラグに“ＰＴＹ＝３１あり”を示す値を設定する（ステップＳＴ４）。
続いて、制御部８２は、選局部８０を制御して、緊急放送コードが検知された放送局をチューナ部３ａに選局させて放送を受信する。このとき、セレクタスイッチ５をチューナ部３ａに切り替え、放送内容の音声をスピーカ７から音声出力し、ＲＤＳの表示データを表示部９に表示させる。ここまでの処理がステップＳＴ５に相当する。
なお、ステップＳＴ４とステップＳＴ５は、処理順が入れ替わってもよい。すなわち、緊急警報を放送した後に、この放送局のフラグを設定しても構わない。
【００２７】
ステップＳＴ５において、制御部８２は、ユーザからの切り替え操作の待ち状態となる。ここで、出力された放送内容が緊急警報ではなかった場合、ユーザが、適宜出力の切り替え操作を行う。例えば、ディスク再生部４が再生する音楽に切り替える場合は、ユーザからの操作に応じて、制御部８２が、セレクタスイッチ５を制御して切り替える。
また、ＲＤＳ信号から緊急放送コードが検知されなくなったときに、制御部８２が、セレクタスイッチ５を制御して自動的に出力を切り替えてもよい。
なお、緊急放送コードが検知された放送局の放送をチューナ部３ａで受信している間、チューナ部３ｂでは、前述したスキャン動作を継続している。
【００２８】
フラグに“ＰＴＹ＝３１あり”を示す値が設定されており、従前に緊急放送コードが検知されている場合（ステップＳＴ３；ＹＥＳ）、制御部８２は、今回、緊急放送コードが検知された放送局を検知対象から除外する（ステップＳＴ６）。これにより、不正に送信された緊急放送コードが検知される度に、その放送局が選局されて放送内容が出力されるといった不具合を軽減することができる。
【００２９】
ステップＳＴ５またはステップＳＴ６の処理が完了すると、制御部８２は、検知対象の放送局の選局が一巡したかどうかを確認する（ステップＳＴ７）。
選局していない放送局がある場合（ステップＳＴ７；ＮＯ）、ステップＳＴ１に戻り、前述したスキャン動作を繰り返す。
検知対象の全ての放送局を選局した場合（ステップＳＴ７；ＹＥＳ）、制御部８２は、フラグ記憶部８３に記憶されているフラグ情報を参照して、最初に検知対象であった全ての放送局で緊急放送コードが検知されたか否かを判定する（ステップＳＴ８）。
【００３０】
全ての放送局から緊急放送コードが検知されていない場合（ステップＳＴ８；ＮＯ）、ステップＳＴ１に戻り、前述したスキャン動作を繰り返す。
全ての放送局から緊急放送コードが検知された場合（ステップＳＴ８；ＹＥＳ）、制御部８２は、それまでに検知対象から除外した放送局を検知対象に戻して、全ての放送局を検知対象とする（ステップＳＴ９）。この後、ステップＳＴ１に戻り、最初に検知対象であった放送局に対して、前述したスキャン動作を繰り返す。
【００３１】
なお、全ての放送局から緊急放送コードが検知されると、それまでに検知対象から除外した放送局を検知対象に戻す場合を示したが、車両のイグニションスイッチがオフされ、再びオンされたときに全ての放送局を検知対象に戻してもよい。
また、スキャン動作を開始してから一定の時間が経過するか、あるいは、特定の日付になったときに、全ての放送局を検知対象に戻してもよい。この一定の時間または日付は、ユーザが適宜設定してもよい。
【００３２】
図４は、実施の形態１における放送局の選局の概要を示す図であり、前述したスキャン動作における放送局の選局の一例を示している。
図４に示すように、検知対象の放送局がＡ〜Ｇまであり、放送局Ａ→Ｂ→Ｃ→Ｄ→Ｅ→Ｆ→Ｇという順番で選局してそれぞれの放送局で緊急放送コードが送信されているか否かを検知する。このスキャン動作において、放送局Ｇまで選局すると再び放送局Ａに戻る。
【００３３】
ここで、例えば、２巡目のスキャン動作において放送局Ｃから送信された緊急放送コードが検知された場合は、放送局Ｃのフラグに対して“ＰＴＹ＝３１あり”を示す値が設定される。そして、チューナ部３ａを放送局Ｃに同調させて放送波を受信して、スピーカ７および表示部９に放送内容を出力させる。この後、放送局Ｃから緊急放送コードが送信されなくなれば、それまでにＣＤを再生していた場合にはＣＤの再生に切り替わる。
【００３４】
このとき、制御部８２は、放送局Ｃを検知対象から除外して、チューナ部３ｂによるスキャン動作を継続させる。このため、図４に示すように、３巡目のスキャン動作においては、放送局Ｃが選局されず、放送局Ｂを選局した後に放送局Ｄが選局されている。
ここで、放送局Ａから送信された緊急放送コードが検知された場合、同様に、放送局Ａのフラグに対して“ＰＴＹ＝３１あり”を示す値が設定される。
そして、チューナ部３ａを放送局Ａに同調させて放送波を受信して、スピーカ７および表示部９に放送内容を出力させる。
【００３５】
この後、制御部８２は、放送局Ａも検知対象から除外して、チューナ部３ｂによるスキャン動作を継続させる。このため、図４に示すように４巡目のスキャン動作においては、放送局Ａおよび放送局Ｃが選局されず、最初に放送局Ｂが選局された後に放送局Ｄが選局されている。このようなスキャン動作を繰り返して全ての検知対象の放送局から送信された緊急放送コードが検知された場合に、再度、全ての放送局を検知対象に戻す。
【００３６】
これまで、この発明に係る放送受信機が、ＲＤＳに対応したアナログラジオ放送を受信する放送受信機である場合を示したが、これに限定されるものではない。例えば、ＤＡＢ（Ｄｉｇｉｔａｌ  Ａｕｄｉｏ  Ｂｒｏａｄｃａｓｔ）などのデジタルラジオ放送を受信する放送受信機であってもよい。またデジタルテレビ放送を受信する放送受信機にも適用可能である。すなわち、緊急警報を放送するときに、放送信号に緊急放送コードを含めて送信する放送であれば、この発明に係る放送受信機を適用することができる。
【００３７】
以上のように、実施の形態１に係るラジオ受信機１は、選局部８０、検知部８１および制御部８２を備えて構成される。
選局部８０は、チューナ部３ａ，３ｂが選局する放送局を設定する。検知部８１は、チューナ部３ｂによって受信された緊急放送コードを検知する。制御部８２は、選局部８０を制御して、チューナ部３ｂに検知対象の放送局を順に選局するスキャン動作を繰り返し行う。このとき、制御部８２は、検知部８１による緊急放送コードの検知が初回である放送局の放送内容をスピーカ７および表示部９に出力させ、従前に緊急放送コードが検知された放送局は、放送内容を出力せずに検知対象から除外する。
このように、緊急放送コードの検知が初回である放送局の放送内容は出力されるので、緊急放送コードが検知された時点で直ちに緊急警報が再生され、緊急警報の見逃しが防止される。さらに、誤ってまたは悪意で頻繁に緊急放送コードを送信しても従前に緊急放送コードが検知された放送局は検知対象から除外されるので、不正に緊急放送コードを送信する放送局の選局を軽減することができる。
【００３８】
なお、本発明はその発明の範囲内において、実施の形態の任意の構成要素の変形、もしくは実施の形態の任意の構成要素の省略が可能である。
【符号の説明】
【００３９】
１  ラジオ受信機、２ａ，２ｂ  アンテナ、３ａ，３ｂ  チューナ部、４  ディスク再生部、５  セレクタスイッチ、６  アンプ部、７  スピーカ、８  マイコン、９  表示部、８０  選局部、８１  検知部、８２  制御部、８３  フラグ記憶部、８４  再生部、１０１  メモリ。
【図１】
2016219981.tif 000003
【図２】
2016219981.tif 000004
【図３】
2016219981.tif 000005
【図４】
2016219981.tif 000006